(57)【要約】【課題】複数の接続先間での複数のケーブルの配線作業の効率、及びケーブルの撤去作業の効率を向上できる配線装置を提供すること。【解決手段】実施形態によれば、配線装置は、複数の接続先装置の２つに接続されるケーブルを複数有するケーブル群と、前記ケーブル群が配置されるベース、及び、前記ベースに複数設けられてそれぞれに前記接続先装置が１つずつ割り当てられ、当該割り当てられた接続先装置に接続される前記ケーブルの接続端子側の部分を当該割り当てられた接続先装置側に案内するケーブル案内部と、を備えるケーブル保持装置と、を備える。【選択図】      図３
2020042393.tif 000002
【特許請求の範囲】
【請求項１】
複数の接続先装置の２つに接続されるケーブルを複数有するケーブル群と、
前記ケーブル群が配置されるベース、及び、前記ベースに複数設けられてそれぞれに前記接続先装置が１つずつ割り当てられ、当該割り当てられた接続先装置に接続される前記ケーブルの接続端子側の部分を当該割り当てられた接続先装置側に案内するケーブル案内部と、を備えるケーブル保持装置と、
を具備する配線装置。
【請求項２】
前記ベースは、板状に構成され、
前記複数のケーブル案内部は、前記ベースの上面の縁部に設けられ、前記上面の面方向に前記ベースの内外を連通し、かつ、前記ケーブルの前記接続端子側の部分の一部を配置する
請求項１に記載の配線装置。
【請求項３】
前記ケーブル保持装置は、前記ベースに設けられた複数のキャスタを具備する
請求項１に記載の配線装置。
【請求項４】
前記ケーブル保持装置は、前記ベースに設けられて前記ベースに対して上方に突出する複数の天板支持部と、前記天板支持部上に支持される天板と、を具備する
請求項１に記載の配線装置。
【請求項５】
前記ケーブル保持装置は、前記ベースの前記縁部に設けられて前記ベースに対して上方に突出する複数の天板支持部と、前記天板支持部に支持される天板と、を具備し、
前記ケーブル案内部の少なくとも一部は、前記天板支持部により構成される
請求項２に記載の配線装置。
【請求項６】
前記ケーブル案内部は、前記縁部に沿って隣り合う２つの前記ケーブル案内部によって構成され、当該２つのケーブル案内部の間に、前記一部を配置する
請求項５に記載の配線装置。
【請求項７】
前記ケーブル保持装置は、前記ベース上に固定されるラダー本体と、前記ラダー本体に設けられた前記天板支持部と、を有するラダーを具備する
請求項５または請求項６に記載の配線装置。
【請求項８】
複数の接続先装置の２つに接続されるケーブルを複数有するケーブル群、並びに、前記ケーブル群が配置されるベース、及び、前記ベースに複数設けられてそれぞれに前記接続先装置が１つずつ割り当てられ、当該割り当てられた接続先装置に接続される前記ケーブルの接続端子側の部分を当該割り当てられた接続先装置側に案内するケーブル案内部を備えるケーブル保持装置の周囲に前記複数の接続先装置を配置し、
前記接続先装置に、前記複数のケーブルを接続する
システムの組み立て方法。
【発明の詳細な説明】
【技術分野】
【０００１】
本発明の実施形態は、複数のケーブルを、複数の接続先装置間で配線する配線装置、及び同配線装置を備えるシステムの組み立て方法に関する。
【背景技術】
【０００２】
テレビ局等の放送局は、放送システムにより、放送を行う。放送システムは、複数のモニタを有するモニタ棚と、複数のラックマウント装置と、複数のケーブルと、によって構成されている。
【０００３】
ラックマウント装置は、例えば複数段を有するラックと、ラックに収容される制御装置等の例えば複数の複数電子機器と、を有している。複数のラックマウント装置の電子機器は、他のラックマウント装置の電子機器またはモニタ棚と、ケーブルにより電気的に接続される。
【０００４】
この種の放送システムは、製造メーカにより試験運転が施された後、問題が無いことが確認されると、放送局に納品される。
【先行技術文献】
【特許文献】
【０００５】
【特許文献１】特開２０１４−１９７０４３号公報
【発明の概要】
【発明が解決しようとする課題】
【０００６】
しかしながら、このような放送システムでは、以下のような問題がある。すなわち、放送システムを試験運転する際には、放送システムを組み立てる必要がある。放送システムの組み立ての際には、２つのラックマウント装置の一方の電子機器にケーブルを接続し、このケーブルをこれら２つのラックマウント装置間に配線し、他方にケーブルを接続する、という作業を、ケーブル毎に行う必要がある。また、ラックマウント装置の電子機器にケーブルを接続し、ラックマウント装置及びモニタの間にケーブルを配線し、このケーブルをモニタに接続する、と云う作業をケーブル毎に行う必要がある。
【０００７】
さらに、放送システムの試験運転後は、放送システムの納品の為に放送システムを解体する必要がある。放送システムの解体の際には、ラックマウント装置間に配線されたケーブル、及びラックマウント装置及びモニタ棚間に配線されたケーブルを撤去する必要がある。この撤去は、ケーブル毎に行われる。
【０００８】
このように、ケーブル毎に配線作業及び撤去作業が必要となるので、配線作業、及び撤去作業の効率が悪いという問題がある。特に、放送システムを製造する製造メーカでは、試験運転毎に配線及び撤去を行う必要があり、放送システムの製造効率が悪くなる。
【０００９】
本発明が解決しようとする課題は、複数の接続先装置間での複数のケーブルの配線作業の効率、及びケーブルの撤去作業の効率を向上できる配線装置を提供することである。
【課題を解決するための手段】
【００１０】
実施形態によれば、配線装置は、複数の接続先装置の２つに接続されるケーブルを複数有するケーブル群と、前記ケーブル群が配置されるベース、及び、前記ベースに複数設けられてそれぞれに前記接続先装置が１つずつ割り当てられ、当該割り当てられた接続先装置に接続される前記ケーブルの接続端子側の部分を当該割り当てられた接続先装置側に案内するケーブル案内部と、を備えるケーブル保持装置と、を備える。
【００１１】
実施形態によれば、システムの組み立て方法は、ケーブル保持装置の周囲に接続先装置を配置し、前記接続先装置に、前記複数のケーブルを接続する。  
前記ケーブル保持装置は、複数の接続先装置の２つに接続されるケーブルを複数有するケーブル群、並びに、前記ケーブル群が配置されるベース、及び、前記ベースに複数設けられてそれぞれに前記接続先装置が１つずつ割り当てられ、当該割り当てられた接続先装置に接続される前記ケーブルの接続端子側の部分を当該割り当てられた接続先装置側に案内するケーブル案内部を備える。
【図面の簡単な説明】
【００１２】
【図１】一実施形態に係る配線装置を有する放送システムを概略的に示す平面図である。
【図２】同放送システムの構成の一部を概略的に示す斜視図である。
【図３】同配線装置を示す斜視図である。
【図４】同配線装置の製造過程を示す斜視図である。
【図５】同配線装置の製造過程を示す斜視図である。
【図６】同配線装置の製造過程を示す斜視図である。
【図７】同配線装置の製造過程を示す斜視図である。
【図８】同配線装置の変形例の構成の要部を示す側面図である。
【発明を実施するための形態】
【００１３】
一実施形態の配線装置４０を、図１乃至図７を用いて説明する。図１は、配線装置４０を有する放送システム１０を示す平面図である。図２は、放送システム１０の一部を示す斜視図である。図３は、配線装置４０を示す斜視図である。図４は、配線装置４０の製造過程を示す斜視図である。図５は、配線装置４０の製造過程を示す斜視図である。図６は、配線装置４０の製造過程を示す斜視図である。  
配線装置４０は、一例として、放送システム１０を試験用に組み立てる際に用いられる。この試験は、例えば、放送システム１０を客先に納品する前の試験である。換言すると、配線装置４０は、本実施形態では一例として、客先に納品される前の、試験運転用に組み立てられた放送システム１０の一部を構成する。
【００１４】
図１及び図２に示すように、放送システム１０は、一例として、モニタ棚２０と、複数のラックマウント装置３０と、配線装置４０と、を有している。  
モニタ棚２０は、例えば、複数のモニタ２１と、これら複数のモニタ２１を支持するラック２２と、を有している。
【００１５】
複数のラックマウント装置３０は、それぞれ、複数の段３１を有するラック３２と、ラック３２の各段に収容される電子機器３３と、複数のラックマウント装置用ケーブル３４と、を有している。
【００１６】
ラック３２の複数の段３１のそれぞれは、同一方向に開口する形状に構成されている。ラックマウント装置用ケーブル３４は、１つのラック３２に収容される複数の電子機器３３の２つの電子機器３３に接続され、これら２つの電子機器３３間に配線される。
【００１７】
複数のラックマウント装置３０は、２つのラック群３５を構成する。本実施形態では、ラックマウント装置３０は、一例として、１６個用いられており、８個のラックマウント装置３０によって１つのラック群３５が構成される。
【００１８】
ラック群３５のそれぞれのラックマウント装置３０は、ラック３２の開口方向を同一方向にそろえた状態で、水平方向に一例に並んで配置される。例えば、隣接する２つのラック３２は、ねじ等固定部材により、互いに固定される。そして、２つのラック群３５のそれぞれは、ラック３２の開口面を他方側に向けた姿勢で、配置される。
【００１９】
配線装置４０は、２つのラック群３５間に配置される。配線装置４０は、複数のケーブルを有するケーブル群４１と、ケーブル群４１を保持するケーブル保持装置４２と、を有している。ケーブル群４１は、複数のラックマウント装置３０の２つのラックマウント装置３０に電気的に接続される第１のケーブル４１ａと、複数のラックマウント装置３０の１つ、及びラックマウント装置３０以外の装置に電気的に接続される第２のケーブル４１ｂと、を有している。
【００２０】
第１のケーブル４１ａは、図１に示すように、１つのラックマウント装置３０の複数の電子機器３３の１つ、及び他の１つのラックマウント装置３０の複数の電子機器３３の１つに、電気的に接続される。第１のケーブル４１ａは、放送システム１０の構成に応じて、必要な本数が用いられる。なお、図１では、一例として、１つのラックマウント装置３０の１つの電子機器３３、及びほかの１５個のラックマウント装置の１つの電子機器３３に接続された第１のケーブル４１ａを示している。
【００２１】
実際には、放送システム１０の構成に応じて、１つのラックマウント装置３０の他の電子機器３３も同様に、他の１５個のラックマウント装置３０のいずれかのラックマウント装置３０の１つの電子機器３３に、第１のケーブル４１ａを介して接続される。他のラックマウント装置３０においても同様である。
【００２２】
第２のケーブル４１ｂは、本実施形態では、１つのラックマウント装置３０の１つの電子機器３３、及びモニタ棚２０のモニタに電気的に接続される。なお、図１では、モニタ棚２０の１つのモニタ２１、及び１つのラックマウント装置３０の１つの電子機器３３に電気的に接続された第２のケーブル４１ｂが示されている。実際には、放送システム１０の構成に応じて、この１つのラックマウント装置３０の他の電子機器３３、及びモニタ２１が、第２のケーブル４１ｂを介して電気的に接続される。他のラックマウント装置３０においても同様である。
【００２３】
ケーブル保持装置４２は、ベース４３と、ベース４３に設けられた複数のキャスタ４４と、ベース４３に設けられた複数のラダー５０と、複数のラダー５０に支持される天板４５と、を有している。
【００２４】
ベース４３は、矩形の板状に構成される。ベース４３は、例えば、金属板、または、木製の板を材料として構成される。
【００２５】
キャスタ４４は、例えば、ベース４３の下面４６に固定されている。なお、キャスタ４４の固定位置は、下面４６に限定されない。キャスタ４４は、ケーブル保持装置４２を移動可能な位置に設けられればよい。キャスタ４４は、車輪４４ａと、車輪４４ａをベース４３に回転可能に支持する支持部４４ｂと、を有している。支持部４４ｂは、車輪４４ａを、水平方向に平行な第１の回転軸、及び上下方向に平行な第２の回転軸回りに回転可能に、ベース４３に固定する。
【００２６】
ラダー５０は、ラダー本体５１と、天板支持部５２と、を有している。ラダー本体５１は、一方向に長い矩形枠状に構成されている。ラダー本体５１は、長手方向に沿う２つの長手部５１ａと、短手方向に沿う２つの短手部５１ｂと、２つの長手部５１ａ間に亘って設けられた梁部５１ｃと、を有している。
【００２７】
天板支持部５２は、２つの長手部５１ａのそれぞれの両端部、及び中途部に設けられている。天板支持部５２は、一例として下方に開口するＵ字形状に構成されており、ラダー本体５１と合わせて、開口を構成する。天板支持部５２は、ラダー本体５１に対して、ラダー本体５１の、長手部５１ａ及び短手部５１ｂにより規定される面に直交する方向に、突出している。
【００２８】
天板支持部５２は、ベース４３の上面４８に対して天板４５を所定高さに配置可能な高さを有している。この所定高さは、ベース４３及び天板４５の間にケーブル群４１を配線可能な高さである。
【００２９】
このように構成されたラダー５０は、ベース４３の上面４８に複数固定されており、ベース４３のラックマウント装置３０に対向する２つの長手方向に沿う縁部４８ａのそれぞれ、及び、縁部４８ａと異なる２つの短手方向に沿う縁部少なくとも一方に、複数の天板支持部５２が配置される。
【００３０】
本実施形態では、ラダー５０は、その長手方向がベース４３の長手方向に沿う姿勢で、４行４列で配置され、例えばラダー本体５１が、ねじやワイヤ等の固定部材により、ベース４３の上面４８に固定される。
【００３１】
なお、ラダー５０、及びラダー５０をベース４３に固定する固定部は、天板４５上に作業者が乗って各種作業を行うことが可能な強度を有する。また、このように構成されたラダー５０は、例えば、複数の直線状の部材、及び継ぎ手を組み合わせることにより、構成される。
【００３２】
また、ケーブル保持装置４２は、複数のケーブル案内部４９を有している。ケーブル案内部４９は、ラックマウント装置３０が１つずつ割り当てられている。割り当てられるラックマウント装置３０は、ケーブル保持装置４２の周囲に複数のラックマウント装置３０が配置された状態であるときに、ケーブル案内部４９に対向配置されるラックマウント装置３０である。
【００３３】
ケーブル案内部４９は、ケーブル保持装置４２の周囲にラックマウント装置３０が配置された状態にあるときに、割り当てられたラックマウント装置３０に接続される第１のケーブル４１ａ及び第２のケーブル４１ｂを、当該割り当てられたラックマウント装置３０側に案内可能に構成される。
【００３４】
本実施形態では、ケーブル案内部４９は、ベース４３の縁部４８ａに沿って並ぶ２つの天板支持部５２によって構成される。このように構成されたケーブル案内部４９は、ケーブル保持装置４２の周囲に複数のラックマウント装置３０が配置された状態であるときに、２つの天板支持部５２の間の隙間が割り当てられたラックマウント装置３０に対向し、この隙間を通して、ベース４３の上面４８の面方向に沿ってベース４３の外側及び内側を連通する。
【００３５】
そして、ケーブル案内部４９は、割り当てられたラックマウント装置３０に接続される第１のケーブル４１ａの接続端子側の部分の一部、及び割り当てられたラックマウント装置３０に接続される第２のケーブル４１ｂの接続端子側の部分の一部を内部に配置することで、第１のケーブル４１ａの接続端子側の部分、及び第２のケーブル４１ｂの接続端子側の部分を割り当てられたラックマウント装置側に案内する。
【００３６】
換言すると、縁部４８ａに沿って並ぶ２つの天板支持部５２の間の隙間は、ラックマウント装置３０に対向可能な隙間に設定される。そして、この隙間に対向配置されるラックマウント装置３０が、当該隙間を構成するケーブル案内部４９に割り当てられる。
【００３７】
さらに換言すると、天板支持部５２は、ベース４３の縁部４８ａのラックマウント装置３０に対向する範囲の少なくとも一部を挟んで両側のそれぞれに配置される。そして、これら２つの天板支持部５２は、対向配置されたラックマウント装置３０に接続される第１のケーブル４１ａの一部及び第２のケーブル４１ｂの一部を配置可能な間隔を有して配置される。
【００３８】
このように構成されたケーブル案内部４９は、ラックマウント装置３０の数に応じて構成され、本実施形態では、ベース４３の２つのラック群３５のそれぞれに対向する縁部４８ａに、８個のケーブル案内部４９が構成される。
【００３９】
換言すると、ラダー５０は、上面４８に４行４列で配置されたときに、縁部４８ａに８個のケーブル案内部４９を形成可能な数の天板支持部５２を有し、これら複数の天板支持部５２により構成されるケーブル案内部４９がラックマウント装置３０に対向は位置可能に構成されている。
【００４０】
さらに、ベース４３の、ラック群３５に対向する縁部４８ａ以外の縁部４８ｂでは、縁部４８ｂに沿って並ぶ２つの天板支持部５２によって、第２のケーブル４１ｂの一部を配置可能なケーブル案内部４９が構成される。
【００４１】
天板４５は、本実施形態では、複数の天板構成部材４５ａを有している。天板構成部材４５ａは、板状の部材である。天板構成部材４５ａは、例えば、１つのラダー５０の複数の天板支持部５２上に載置される。なお、天板構成部材４５ａは、天板支持部５２に、着脱可能に固定されてもよい。
【００４２】
次に、配線装置４０の製造工程の一例を説明する。まず、図４に示すように、作業者は、ベース４３の一方の主面に、複数のキャスタ４４を固定する。作業者は、複数のキャスタ４４の固定が完了すると、ベース４３を、キャスタ４４が固定された主面が下面４６となる姿勢にし、床上に載置する。
【００４３】
次に、作業者は、図５に示すように、ベース４３の上面４８に複数のラダー５０を、天板支持部５２が上方に突出する姿勢で、４行４列で配置し、固定する。このとき、作業者は、上面４８の２つの縁部４８ａ、及び一方の縁部４８ｂに天板支持部５２を配置することで、ケーブル案内部４９を構成する。
【００４４】
次に、作業者は、図６に示すように、ベース４３の上面４８上に、ケーブル群４１を配線する。この配線作業では、各ケーブル案内部４９から、割り当てられたラックマウント装置３０に接続される第１のケーブル４１ａ及び第２のケーブル４１ｂの接続端子側の部分を出す。また、縁部４８ｂに設けられたケーブル案内部４９に第２のケーブル４１ｂの一部を配置する。
【００４５】
このようにケーブル案内部４９内に第１のケーブル４１ａの一部及び第２のケーブル４１ｂの一部を配置することにより、ベース４３上に第１のケーブル４１ａ及び第２のケーブル４１ｂが配線される。
【００４６】
次に、作業者は、図７に示すように、天板支持部５２上に天板構成部材４５ａを載置し、天板４５を構成する。天板４５が構成されると、配線装置４０が完成する。
【００４７】
次に、放送システム１０の組立工程の一例を説明する。まず、作業者は、配線装置４０を、配線装置４０の待機場所から作業スペースに、キャスタ４４により移動する。
【００４８】
次に、作業者は、配線装置４０の複数のケーブル案内部４９のそれぞれの前に、対応するラックマウント装置３０を、ラック３２の開口が配線装置４０側にむく姿勢で、１つずつ配置する。ここで言う対応するラックマウント装置３０は、ケーブル案内部４９に割り当てられたラックマウント装置３０である。
【００４９】
全てのケーブル案内部４９のそれぞれの前にラックマウント装置３０が配置されると、２つのラック群３５が構成される。また、各ラックマウント装置３０の前には、当該ラックマウント装置３０が割り当てられたケーブル案内部４９により案内された第１のケーブル４１ａの接続端子側の部分及び第２のケーブル４１ｂの接続端子側の部分が配置される。
【００５０】
次に、作業者は、ケーブル案内部４９から出ている第１のケーブル４１ａ及び第２のケーブル４１ｂを、ラックマウント装置３０の電子機器３３に接続する。作業者は、この作業を、天板４５の上に乗って行ってもよい。第１のケーブル４１ａ及び第２のケーブル４１ｂの接続作業が完了すると、放送システム１０が完成する。
【００５１】
次に、放送システム１０の解体工程の一例を説明する。
【００５２】
放送システム１０の試験運転が完了し、各ラックマウント装置３０に異常がないと判断されると、作業者は、放送システム１０を解体する。まず、作業者は、ラックマウント装置３０から第１のケーブル４１ａ及び第２のケーブル４１ｂを取り外す。次に、作業者は、取り外された第１のケーブル４１ａ及び第２のケーブル４１ｂの、ケーブル案内部４９よりも外側の部分を、天板４５上に載置する。次に、作業者は、全てのラックマウント装置３０を配線装置４０から移動する。次に、作業者は、配線装置４０を、キャスタ４４により、配線装置４０の待機場所に移動する。
【００５３】
別の放送システム１０を製造する場合は、作業者は、上述の作業を再び行う。
【００５４】
このように構成された放送システム１０では、配線装置４０を作業スペースに移動することにより、ラックマウント装置３０間の第１のケーブル４１ａの配線、並びに、ラックマウント装置３０及びモニタ２１の間の第２のケーブル４１ｂの配線が完了する。
【００５５】
この為、放送システム１０の組み立ての際に、第１のケーブル４１ａ及び第２のケーブル４１ｂを一本一本配線する作業が不要となる。さらに、配線装置４０を移動するだけで、全ての第１のケーブル４１ａ及び第２のケーブル４１ｂを撤去できるので、放送システム１０の解体の際に第１のケーブル４１ａ及び第２のケーブル４１ｂを１本１本撤去する作業が不要となる。
【００５６】
この為、第１のケーブル４１ａ及び第２のケーブル４１ｂの配線作業及び撤去作業の効率を向上することが可能となる。
【００５７】
さらに、配線装置４０は、同種の複数の放送システムに共通して利用できるので、同種の放送システム１０を複数製造する際の作業効率を向上できる。
【００５８】
さらに、配線装置４０を移動することで、作業スペースを広くすることが可能であるので、作業スペースを有効に使用することが可能となる。さらに、配線装置４０が複数のキャスタ４４を有するので、配線装置４０を簡単に移動することが可能となる。
【００５９】
さらに、ケーブル案内部４９がベース４３の上面４８の縁部４８ａ上に設けられるので、第１のケーブル４１ａ及び第２のケーブル４１ｂの、ケーブル案内部４９を通って外側に出た部分が、割り当てられたラックマウント装置３０の直前に配置されることとなる。この為、ラックマウント装置３０に、他のラックマウント装置３０が割り当てられたケーブル案内部４９から出た第１のケーブル４１ａ及び第２のケーブル４１ｂを接続するミスの発生を防止できる。
【００６０】
さらに、配線装置４０が天板４５を有するので、天板４５上を作業スペースとして利用することが可能となる。この為、第１のケーブル４１ａ及び第２のケーブル４１ｂをラックマウント装置３０に接続する作業の効率を向上することが可能となる。
【００６１】
さらに、２つの天板支持部５２の間の隙間をケーブル案内部４９として用いることにより、配線装置４０の部品数を低減できる。すなわち、天板支持部５２の少なくとも一部を利用してケーブル案内部４９を構成することにより、部品数を低減できる。
【００６２】
さらに、ラダー５０を利用して天板支持部５２及びケーブル案内部４９を構成することにより、上面４８への天板支持部５２及びケーブル案内部４９の配置作業の効率を向上できる。
【００６３】
なお、本実施形態では、ケーブル保持装置４２は、一例として、１段の構成を有している。すなわち、ベース４３上に、天板支持部５２を介して１枚の天板４５が載置されている。しかしながら、ケーブル保持装置４２は、１段の構成に限定されない。他の例では、図８に示す変形例のケーブル保持装置４２のように、天板４５上に複数のラダー５０を介して別の天板４５が載置されてもよい。このようにケーブル保持装置４２が複数段の構成を有することにより、ケーブルを配線可能なスペースを増大することができるので、より多くのケーブルを配線することが可能となる。
【００６４】
また、本実施形態では、天板支持部５２は、ラダー５０と一体に構成されたがこれに限定されない。他の例では、ラダー本体５１を有さず、天板支持部５２がベース４３の上面４８に固定されてもよい。
【００６５】
また、本実施形態では、配線装置４０は、１つの種類の放送システム１０に用いられるケーブル群４１を有している。換言すると、ケーブル群４１が有する複数の第１のケーブル４１ａ及び第２のケーブル４１ｂは、特定の１つの種類の放送システム１０に用いられるケーブルである。
【００６６】
しかしながら、ケーブル群４１は、複数種類の放送システム１０に使用されるケーブルを有してもよい。すなわち、ケーブル案内部４９は、複数種類のラックマウント装置３０が割り当てられてもよい。この場合、ケーブル案内部４９は、割り当てられた複数種類のラックマウント装置３０に接続されるケーブルの全ての種類を、最大数案内する。
【００６７】
例えば、１つのケーブル案内部４９に２種類のラックマウント装置３０が割り当てられた場合、一方の種類のラックマウント装置３０に接続される第１のケーブル４１ａが５本であり、かつ、第２のケーブル４１ｂが６本であり、他方の種類のラックマウント装置３０に接続される第１のケーブル４１ａが４本であり、かつ、第２のケーブル４１ｂ７本であると、この１つのケーブル案内部４９は、５本の第１のケーブル４１ａと、７本の第２のケーブル４１ｂと、案内する。
【００６８】
このように、ケーブル群４１が複数種類の放送システムに用いられるケーブルを不足なく有し、かつ、各ケーブル案内部４９が、割り当てられた複数種類のラックマウント装置３０のそれぞれに不足なく接続されるケーブルをラックマウント装置側に案内可能に構成されることによって、配線装置４０は、複数種類の放送システムに共通して用いることが可能となる。
【００６９】
なお、配線装置４０が上述のように複数種類の放送システムに対応可能な構成を有する場合、ケーブル案内部４９は、複数種類の放送システムのうち、ラックマウント装置３０の数が最大となる放送システムのラックマウント装置３０と同数、設けられる。
【００７０】
また、本実施形態では、ケーブル案内部４９は、２つの天板支持部５２により構成されたがこれに限定されない。他の例では、ケーブル案内部４９は、１つの天板支持部５２により構成されてもよい。すなわち、１つの天板支持部５２とラダー本体５１との間に、内部に第１のケーブル４１ａの接続端子側の部分の一部、及び第２のケーブル４１ｂの接続端子側の部分の一部を配置してもよい。
【００７１】
また、ケーブル保持装置４２が、ベース４３から立ち上がる側壁を有し、この側壁に天板４５が固定される構成を有する場合は、ケーブル案内部４９は、この側壁に形成された孔、または、側壁を厚み方向に貫通する溝であってもよい。また、本実施形態では、ケーブル保持装置４２は、天板４５を有しているが、他の例では天板４５が無くてもよい。
【００７２】
また、本実施形態では、配線装置４０は、一例として、放送システム１０に用いられる、複数のラックマウント装置３０間、及びモニタ棚２０と複数のラックマウント装置３０間の電気的接続に用いられたが、放送システム１０に用いられることに限定されない。  
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１０…放送システム、３０…ラックマウント装置、３２…ラック、３３…電子機器、３４…ラックマウント装置用ケーブル、３５…ラック群、４０…配線装置、４１…ケーブル群、４１ａ…第１のケーブル、４１ｂ…第２のケーブル、４２…ケーブル保持装置、４３…ベース、４４…キャスタ、４５…天板、４６…下面、４８…上面、４９…ケーブル案内部、５０…ラダー、５１…ラダー本体、５２…天板支持部。
【図１】
2020042393.tif 000003
【図２】
2020042393.tif 000004
【図３】
2020042393.tif 000005
【図４】
2020042393.tif 000006
【図５】
2020042393.tif 000007
【図６】
2020042393.tif 000008
【図７】
2020042393.tif 000009
【図８】
2020042393.tif 000010